(57)【要約】      （修正有）【課題】床面等に塗布剤を塗布する場合に、塗布剤を収納する容器と、塗布部容器に使用する布の作業後の洗浄、乾燥を不要とし、手を汚さないでできる塗布装置を提供する。【解決手段】空気圧発生装置を前記塗布剤を収納している専用容器１にクリック式の継ぎ手により接続し、空気圧発生装置３により発生された圧縮空気を専用容器内へ送り込むことにより、当該専用容器に接続されている塗布部容器２へと送り出され塗布剤は、床面等を接触させる事により布３００から塗布剤が床面へ伝達され床面に塗布剤が一様に塗布される。上記空気圧発生装置は床面への塗布剤の塗布状態を確認しながら当該空気圧発生装置を稼動させる。上記塗布剤が収納された専用容器は、使い切ったら新しいものと交換するカートリッジタイプとし、塗布部容器に使用する布も何度か使用して塗布剤の凝固が認められて来た際に新しい布と交換する。【選択図】図１
2004275688.tif 000002
【特許請求の範囲】
【請求項１】
床面等に塗布する為の塗布剤を格納した密閉容器と、当該容器に容易に装着・離脱できる構造をもち、布等を装着可能な構造をした塗布剤充填層も兼ねる塗布層を持つ容器と、前記塗布剤を格納した密閉容器の一部に装着・離脱可能な構造で空気を加圧する為の空気圧発生機構を持った空気圧縮発生装置とで構成された事を特徴とする塗布装置。
【請求項２】
請求項１に記載の塗布装置に於いて、塗布剤を格納する密閉容器内の圧力が一定値以上になると、空気圧発生装置から加圧しても圧力が上がらない様に空気を逃がす為の弁を持った事を特徴とする塗布装置。
【請求項３】
請求項１記載の塗布装置に於いて、前記塗布剤を格納した密閉容器に空気を加圧する為に空気圧発生機構を人的な力により発生せしめる事の出来る空気圧手動発生装置を用いた事を特徴とする塗布装置。
【請求項４】
請求項１記載の塗布装置に於いて、前記塗布剤を格納した密閉容器に空気を加圧する為に空気圧発生機構を電池と圧縮ポンプなどの電気的な力により発生せしめる事の出来る空気圧自動発生装置を用いた事を特徴とする塗布装置。
【請求項５】
請求項３記載の塗布装置に於いて、前記塗布剤を格納した密閉容器に空気を加圧する為に空気圧発生機構部を人的に操作しやすいように床面に近いところに設置し、当該塗布作業者の足などで人為的に加圧できる構造を持った事を特徴とする塗布装置。
【請求項６】
請求項３記載の塗布装置に於いて、前記塗布剤を格納した密閉容器に空気を加圧する為に空気圧発生機構部を人的に操作しやすいように手で操作できるように当該塗布装置のグリップに近いところに設置し、塗布しながらでも操作できる様に、当該塗布作業者の手で人為的に加圧できる構造を持った事を特徴とする塗布装置。
【請求項７】
請求項１記載の塗布装置の密閉容器に於いて、床面等に塗布する為の塗布剤を格納した密閉容器を塗布剤が無くなった際に新しい密閉容器と簡単に交換出来る様にする事を特徴とする塗布装置。
【請求項８】
請求項７記載の塗布装置の密閉容器に於いて、床面等に塗布する為の塗布剤を格納した密閉容器を塗布剤が無くなった事が判る様に周りから塗布剤の量が識別できる様にした事を特徴とする塗布装置。
【請求項９】
請求項７記載の塗布装置の密閉容器に於いて、床面等に塗布する為の塗布剤を格納した密閉容器を塗布剤が無くなった際に警報を発する様にした事を特徴とする塗布装置。
【請求項１０】
請求項１記載の塗布装置の布等を装着可能な構造をした塗布剤充填層も兼ねる塗布層を持つ容器に於いて、床面等に塗布する為の塗布剤の充填量が一定のレベル以下に達したら警報を発する様にし、空気圧を加圧して充填量のレベルを一定にすることを作業者に促す事を特徴とする塗布装置。
【請求項１１】
請求項１記載の塗布装置の布等を装着可能な構造をした塗布剤充填層も兼ねる塗布層を持つ容器に於いて、床面等に接触し、塗布剤が充填される布を装着可能とし、当該布面を空気による乾燥から防御する為に空気遮断蓋を取り付けた事を特徴とする塗布装置。
【請求項１２】
請求項１１記載の布等を装着可能な構造をした塗布剤充填層も兼ねる塗布層を持つ容器に於いて、床面等に接触し、塗布剤が充填される布を装着可能とし、複数回の使用に耐え布面が乾燥し始めたら当該布を取り外し、新しい布を取り付け使用する事を特徴とする塗布装置。
【発明の詳細な説明】
【０００１】
【発明の属する技術分野】
この発明は、床面の光沢を常に保つために定期的なワックスかけ等を行う際に使用する塗布装置の省力化などに寄与することの出来る塗布装置に改良に属する。
【従来の技術】
【０００２】
一般家庭では柔らかい布に床面などに光沢を出す為に、一般的にワックスと称している塗布剤を含ませて、人手で床面等に塗っている。このような手法では例え一般家庭でも１００平米にも達する床面全体を塗るのは非常に骨の折れる仕事でもある。
最近では塗布剤を、上面が開放もしくは蓋をした、底に小さな穴を空けた容器に直接柔らかい布を取り付け、当該容器に塗布剤を入れてこぼれない様にして床面に当該布を接触させる事により穴から零れ落ち布に染み出た塗布剤を床面に塗るようなものも現れている。
従来の塗布装置模式図の一例を図４に示す。
【発明が解決しようとする課題】
【０００３】
従来用いられている塗布装置では、床面等に塗布剤を塗布する場合に、予め使用する量の塗布剤を専用容器に入れて、当該容器の一部に床面に塗布剤が塗れる様にする為に柔らかい布等を取り付け、その布に塗布剤がしみこみ、それを床面に接触する事で床面に塗布剤を塗る構造である。この場合には、使用する塗布剤が余った場合には、そのまま置いておくと塗布剤の特性上、時間の経過とともに凝固して床面に接触する部分の布が硬くなり塗布する能力が著しく欠落し、本来の目的を達する事が出来ない。
また、同じように専用容器内に残った塗布剤に関しても時間の経過とともに凝固して再度使用することが著しく困難である。このような問題を避ける為には、当該容器やそれに付属している布などを使用する度に洗浄及び乾燥する事も可能であるが、一般家庭などを含めて殆どが、容器に残った塗布剤は別の容器に回収し、付属する布は捨てると云う手段を用いているが、それでも専用容器だけは洗浄及び乾燥しなければならないと云う非常に不便で、作業者にとっては苦痛と云わざるを得ないと云うような欠点があった。
本発明は、上記の欠点を無くする事を主眼にして行われたものである。
【課題を解決するための手段】
【０００４】
このような塗布剤が時間の経過とともに凝固すると云う物性上の特徴から、使用しない場合においても、当該塗布剤の自然凝固による再利用の弊害を無くする為に、塗布剤を収納する専用密閉容器と床面等に塗布剤を塗布する為の布等に塗布剤をしみこませる為の専用の塗布剤充填層を所有した塗布部容器と、前記塗布剤を収納している専用容器から、前記塗布部容器に塗布剤を空気圧により送り込む為の空気圧発生装置を用いて以下のようにして塗布剤を床面に作業者の手等を汚さずして塗る事が出来る。
上記、塗布剤を収納している専用容器から塗布部容器へ、互いにクイック式の継ぎ手に接続され塗布剤が流れる様になっている。このままでは一定量の塗布剤を流すことは少々困難である為に、空気圧発生装置を前記塗布剤を収納している専用容器にクイック式の継ぎ手により接続し、空気圧発生装置により発生された圧縮空気を前記専用容器内へ送り込むことにより、専用容器内の圧力が高まり、内部の塗布剤が当該専用容器に接続されている塗布部容器へと送り出されるのである。
送り出された塗布剤は、床面等を接触させる事により布から塗布剤が床面へ伝達され床面に塗布剤が一様に塗布されるのである。上記空気圧発生装置は床面への塗布剤の塗布状態を確認しながら空気圧発生装置を稼動させるだけで良い。
床面への塗布剤の塗布作業が完了した場合には、床面に接触する部分の布部分を大気から遮断する為のカバーを設置することで、次回の塗布作業迄、当該塗布装置の洗浄、乾燥等は必要が無い。
上記塗布剤が収納された専用容器は、使い切ったら新しいものと交換するカートリッジタイプのものである。また、塗布部容器に使用する布も何度か使用して塗布剤の凝固が認められて来た再に新しい布と交換すると云うものである。
以上により、従来一般家庭を含めて使用したいが、作業後の洗浄、乾燥などが面倒で使用しづらかったものを手などを汚さずに簡単に出来る手法を提供する。
【発明の実施の形態】
【０００５】
本発明の一実施例を図１に示す。本図では各モジュール毎に分解した状態を示している。
図に従って、各モジュールの動作について詳細に説明する。
先ず、床面に塗布する為の塗布剤を収納する為の専用容器１は専用容器本体２００内部に塗布剤送付口２３０Ｂと２４０Ｂが取付けられている。それぞれの塗布剤送付口には塗布剤吸入チューブが取付けられており、本容器内に充填されている塗布剤をこれらのチューブを使用して塗布剤送付口を伝って外部へ流出させるのである。当該容器には更にもう二つのものが取付けられている。一つは当該容器内に空気圧を吸入する為の空気圧受入口２９０と、もう一つは当該専用容器が密閉容器である為に、上記空気圧受入口から加圧された内部の圧力を一定値以下に保つ為の圧力調整弁２８０である。
この圧力調整弁が無い場合には、不幸にして作業者が必要以上の加圧を行うと必要以上の塗布剤が塗布剤送付口から外部へ流出し、経済的にロスが大きい事に加えて床面への塗布剤の無駄な塗布が行われる。これらの弊害を防止する為に、本発明では圧力調整弁２８０を取付けてあるが、もし作業者が細心の注意を払いながら空気圧を加圧するのであれば、取付ける必要は無いのは云うまでもない。しかしながら取付けてあれば無頓着な作業者であっても上記の問題を心配しなくて良いと云う利点がある。
更に、当該専用容器には流量センサー２８１が取付けられている。これは当該専用容器内の塗布剤の残量を検知し表示する為のものであり、内部の塗布剤が無くなると表示される構造となっている。これにより作業者は塗布剤の収納された専用容器１の交換の時期を知る事が出来ると云う特徴がある。
本実施例では一例として塗布剤吸入チューブを２本としたが、別に１本でも又は３本以上でも差し支えないのは云うまでもない。
【０００６】
次に、上記の塗布剤を収納する専用容器１に空気を送り込むものが空気圧発生機構部３である。この機構部は空気圧発生装置基部４００に空気圧発生部Ａ４２０が取付けられており、この空気圧発生部に作業者が足で押すことにより内部の空気が加圧されて、空気圧送風口４９０から外部へ空気が送られる。
この空気圧発生部Ａ４２０を何度も足等で押す事により、必要な圧力の空気が発生される。
更に、図にも示している様に取っ手（グリップ）３０には手元で操作可能な空気圧発生部Ｂ５００が取付けられている。この空気圧発生部を取付けた目的は足元で操作しなくても手元でグリップ３０を握りながら空気圧発生部Ｂ５００を同時に何度か握り締める事で必要な空気圧を発生させる事が出来る為に操作がより簡単になると云う利点があるからである。
空気圧発生部４２０で発生させた空気圧を空気圧送風口４９０と塗布剤が収納充填されてある密閉容器２００の空気圧受入口２９０をワンタッチで密閉接続され、空気圧発生部４２０で発生された空気圧を塗布剤を収納する専用容器１の内部へ伝達され、当該専用容器内の圧力が上昇する事により、当該占用容器内に収納されている塗布剤が塗布剤吸入チューブ２７１及び２７２のチューブ内を伝わって塗布剤送付口２３０Ｂ及び２４０Ｂへと押し出される構造である。
上記には手動で空気圧を発生させる機構に付いて説明したが、自動でも空気圧を発生させる事も出来る。この場合にはコンプレッサー４１０と電池４１５及び電源を入り切りする為のスイッチ４１８により自動で空気圧を発生させる事が出来る。上記手動の空気圧発生機構部３に換えて、自動で空気圧発生を行う事の出来る空気圧発生機構部４に取り替えれば良いのである。
当然の事であるが、当該専用容器内の空気圧が大気圧と同じレベルであれば圧力の均衡により塗布剤が殆ど流出しない。
本実施例では当該塗布剤吸入チューブの内径を１ミリメートルとしたが、この内径は塗布剤の粘度により変更する方が望ましい。即ち、塗布剤の粘度が高い場合には内径を大きくし、逆に粘土が低い場合は内径を小さくするのが望ましい。理由は空気圧発生装置機構部３により発生させる為に作業者の足又は手で発生行為を行う場合に、同じ回数だけ操作する場合には、塗布剤の粘度により塗布剤送付口２３０Ｂ及び２４０Ｂから送出される塗布剤の量が変化するからである。
従って、本実施例では塗布剤を収納する専用容器１の内部の塗布剤吸入チューブ２７１及び２７２の内径は塗布剤の粘度によって何種類かに別けて取付けて塗布剤の種類毎に専用化したものを使用している。
【０００７】
上記の塗布剤を収納する専用容器１の塗布剤送付口２３０Ｂ及び２４０Ｂから送出された塗布剤を床面などに塗布する為のものが塗布部容器２である。
以下、図面に従って説明する。
当該塗布部容器２は塗布部容器基部２１０に２ヶ所の塗布剤受入口２３０Ａ及び２４０Ａが取付けられている。これらの塗布剤受入口の下には、当該塗布部容器基部２の底まで貫通穴２３６及び２４６により接続されている。更に各々の貫通穴を直角に貫き、当該塗装部容器基部２の低部に塗布剤流出溝２３５及び２４５を設置してある。
次に当該塗布部容器基部２１０の２ヶ所には床面等に容易かつ美しく塗布剤を塗布する為に塗布用布３００がワンタッチで取付けたり、取り外したり出来る様にマジックテープ２２１Ｂ及び２２２Ｂが取付けられている。
当然の事であるが塗布用布３００にも対になるマジックテープ２２１Ａ及び２２２Ａが取付けられている。
上記塗布用布３００を、Ａ部矢視図で示す様に塗布剤流出溝２３５及び２４５を覆い隠すように被せマジックテープ２２１Ａ、２２１Ｂ、２２２Ａ、２２２Ｂで固定するのである。
更に、塗布剤流出溝２３５及び２４５に連通するところに流量センサー２４８及び、そのセンサーの表示部２４７が取付けられている。
以上、本実施例の各モジュールに付いて説明したが、以下に各モジュールを組み立てる方法等に付いて説明する。
【０００８】
図２には各モジュールを取付ける為の取付基部１０を示している。
当該基部には少なくとも２ヶ所の穴が空けられている。２つは塗布剤を収納する専用容器１に取付けられている塗布剤送付口２３０Ｂ及び２４０Ｂと塗布部容器２に取付けられている塗布剤受入口２３０Ａ及び２４０Ａが、それぞれ貫通して取付けられる為の穴である。
当該取付基部１０を挟み込む様にして矢印に示した方向に、先ず塗布部容器２を当該取付基部１０の底面から上記２つの穴に差し込んで取付け、塗布剤を収納する専用容器１を上記取付基部１０の２つの穴から突き出した塗布剤受入口２３０Ａ及び２４０Ａに、塗布剤を収納した専用容器１に取付けられた塗布剤送付口２３０Ｂ及び２４０Ｂをワンタッチで挿し込む事で、取付基部１０に塗布剤を収納する専用容器１と塗布部容器２が取付けられる。
次に、空気圧発生機構部３を矢印の方向から差し込むのであるが、この場合にも当該空気圧発生機構部に取付けられている空気圧送風口４９０を塗布剤を収納する専用容器１に取付けられている空気圧受入口２９０にワンタッチで挿し込み取付けるのである。この取付け時には取付基部１０には板バネ１１Ａ及び１２Ａが取付けられており、この板バネに対応する空気圧発生機構部には取付け溝１３Ｂがあり、これらの板バネと取付け溝により確実に空気圧発生機構部のモジュールを取付基部１０に固定出来るのである。
更に、取付基部１０に取付けられている支柱の先端側の取っ手３０には手で操作し易い様に別の空気圧発生部Ｂ５００を取付け、当該空気圧発生部Ｂ５００と足元側にある空気圧発生機構部に取付けられている空気圧受風口４９５と空気圧送風チューブ５１０を使って接続する。
【０００９】
以上の様にして各モジュールを組み立てたのが図３である。
このようにして組み立てられた本実施例で示す塗布装置を使用して床面等に塗布剤を塗布して、塗布作業が完了した場合には図１で示すカバー３５０を図３の当該塗布装置の底部に取付けられている塗布部容器２を覆い、大気から遮断して塗布部容器に取付けられている塗布用布３００にしみこんだ塗布剤の乾燥凝固を防止する様にしている。
再び、塗布作業を開始する場合には上記カバー３５０を取り外し、床面に塗布用布３００が床面等に接触させながら行うのであるが、例えば、塗布中に塗布剤を収納している専用容器１に取付けられている流量センサーにより塗布剤の残量が少なくなった事が判った場合には、塗布剤を収納している専用容器１を新しいものと簡単に交換する事で引き続いて塗布作業を行う事が出来る。
また、塗布部容器２にも流量センサー２４８が取付けられているので塗布部容器の塗布剤の流量もチェックできるのは云うまでもない。
当該塗布装置を長時間使用して、床面等の塗布性能が、例え空気圧発生装置の圧力を上げても改善しなくなった場合には、塗布部容器２に取付けられている塗布用布が残留塗布剤の固化進行した為であり、この場合には当該塗布用布３００をワンタッチで取り外し新しい塗布用布と交換する事で初期の塗布性能が得られる。
【発明の効果】
【００１０】
以上のようにこの発明の実施例によれば、塗布剤が時間の経過とともに凝固すると云う性質があっても、塗布作業を行わない場合においても、塗布剤を収納する専用密閉容器内の塗布剤は凝固せず、更に塗布剤がしみこんだ専用の布にカバーを設置する事により、布表面が大気に晒されなく塗布剤が固化することも無く、例え長時間塗布作業を中断したとしても、カバーを外すことで前の状態を維持しつつ塗布作業を再開することが出来る。
更に、塗布剤を床面に均一もしくは必要な厚さに塗布する為には、手元もしくは足元にある空気圧発生装置により塗布剤が収納されている密閉容器に空気圧を加える事により、従来では非常に困難であった床面への均一厚みの塗布膜の形成が容易く実現出来ると云う利点がある。
また、密閉容器には予め容器の大きさに対応した塗布剤が充填されており、この塗布剤が使用を終えた場合には新しい塗布剤が充填された密閉容器とカートリッジ的な方法で交換する事により、簡単かつ素早く次の塗布作業に移る事が可能である。また、塗布部容器に使用する布も何度か使用して塗布剤の凝固が認められて来た再に新しい布と交換すると云うものであり従来にまして経済的であり、更に作業者の手を汚したりしないと云う特徴もある。
【図面の簡単な説明】
【図１】実施例の分解図
【図２】実施例の基本部
【図３】実施例の組立図
【図４】従来例の分解図
【符号の説明】
１        塗布剤を収納する専用容器
２        塗布部容器
３        空気圧発生機構部（手動）
４        空気圧発生機構部（自動）
１０      取付基部
１１Ａ    板バネ
１２Ａ    板バネ
１３Ｂ    取付け溝
１５      取付け穴
１６      取付け穴
２０      支柱
３０      取っ手（グリップ）
１００    塗布剤収納容器
１０１    蓋
１０２    塗布布
１１２    メッシュ部分
１２１Ａ  マジックテープ
１２１Ｂ  マジックテープ
１２２Ａ  マジックテープ
１２２Ｂ  マジックテープ
２００    密閉容器本体
２１０    塗布部容器基部
２２１Ａ  マジックテープ
２２１Ｂ  マジックテープ
２２２Ａ  マジックテープ
２２２Ｂ  マジックテープ
２３０Ａ  塗布剤受入口
２３０Ｂ  塗布剤送付口
２３５    塗布剤流出溝
２３６    貫通穴
２４０Ａ  塗布剤受入口
２４０Ｂ  塗布剤送付口
２４５    塗布剤流出溝
２４６    貫通穴
２４７    センサー表示部
２４８    流量センサー
２７１    塗布剤吸入チューブ
２７２    塗布剤吸入チューブ
２８０    圧力調整バルブ
２８１    流量センサー
２９０    空気圧受入口
３００    塗布用布
３５０    カバー
４００    空気圧発生装置基部
４１０    コンプレッサー
４１５    電池
４１８    スイッチ
４２０    空気圧発生部Ａ
４９０    空気圧送風口
４９５    空気圧受風口
５００    空気圧発生部Ｂ
５１０    空気圧送風チューブ
【図１】
2004275688.tif 000003
【図２】
2004275688.tif 000004
【図３】
2004275688.tif 000005
【図４】
2004275688.tif 000006